(57)【要約】【課題】使用者の顔部に的確にフィットできる自由度を有し、且つ部品点数も少なくて組み込みし易く、修理や回動及び仮固定の力の調整も容易な眼鏡を提供する。【解決手段】本発明は、フロント部Ｆと、該フロント部Ｆの両端から後方に順列に延びる第一部材１と第二部材２とを備える眼鏡であって、前記第一部材１と前記第二部材２とがストッパークッション部材３を介して段階的に回動可能となっており、前記第一部材１の端部に形成された切り欠き溝部１１に、前記第二部材２の端部に形成された細厚部２Ａが嵌合されて回動自在になっている眼鏡Ａ。【選択図】図３
2020034706.tif 000002
【特許請求の範囲】
【請求項１】
フロント部と、該フロント部の両端から後方に順列に延びる第一部材と第二部材とを備える眼鏡であって、前記第一部材と前記第二部材とがストッパークッション部材を介して段階的に回動可能となっていることを特徴とする眼鏡。
【請求項２】
前記第一部材の端部に形成された切り欠き溝部に、前記第二部材２の端部に形成された細厚部が嵌合されて回動自在になっており、又は、前記第二部材の端部に形成された切り欠き溝部に、前記第一部材の端部に形成された細厚部が嵌合されて回動自在になっており、前記ストッパークッション部材は切り欠き溝部に設けられており、細厚部には複数の凹部が設けられ、ストッパークッション部材には凸部が設けられ、細厚部の複数の凹部にストッパークッション部材の凸部が係止されることにより第一部材と第二部材とが段階的に仮固定して停止するようになっていることを特徴とする請求項１記載の眼鏡。
【請求項３】
前記ストッパークッション部材は、切り欠き溝部から取り外し自在になっていることを特徴とする請求項２記載の眼鏡。
【請求項４】
前記ストッパークッション部材は、中空に形成されていることを特徴とする請求項１〜３のいずれか１項記載の眼鏡。
【請求項５】
前記ストッパークッション部材は、環状体であることを特徴とする請求項４記載の眼鏡。
【請求項６】
前記第二部材を回動し、前記第二部材の後部を頬骨弓の上端部と略平行にした状態で、前記第二部材の後部が頬骨弓の上端部に当接し支持されるようになっていることを特徴とする請求項１〜５のいずれか１項記載の眼鏡。
【請求項７】
前記第一部材及び前記第二部材は各々、ヨロイ部又はテンプル部又はモダン部のいずれかであることを特徴とする請求項１〜６のいずれか１項記載の眼鏡。
【発明の詳細な説明】
【技術分野】
【０００１】
本発明は、眼鏡に関し、更に詳しくは、使用者の顔部に的確にフィットできる自由度を有し、部品点数も少なく組み込みが容易な眼鏡に関する。
【背景技術】
【０００２】
眼鏡は一般に、左右一対のレンズを有するフロント部と、該フロント部の両端から後方に延びるテンプル部と、該テンプル部に取り付けられたモダン部とを備える。
このような眼鏡は、構造的には、全体としてのコの字状の構造に形成されており、装着した場合に、フィット性という点で必ずしも満足したものにはならない。
【０００３】
例えば、装着した状態で運動等により顔を強く動かす場合、フィット性が甘いと耳部に掛けられたモダン部が不用意に外れたりすることがある。
このようなことから、眼鏡の一部、例えば、モダン部の一部を回動できるようにしてテンプルの顔への保持力を高めたマルチアングル式湾曲眼鏡が開発されている（特許文献１）。
【０００４】
しかし、この従来のマルチアングル式湾曲眼鏡は、主脚部（１）の後部にキャビティを設けて、このキャビティの中に弾性体部と滑り部とを設け、更に副脚部（１）に歯を設け、これが滑り部の歯に係合する構造となっている。
そして副脚部（１）が下方に異なる角度で回動することができるものである。
この眼鏡は、耳への保持力が確実に増すためにフィット性が良くなり外れ難い利点がある。
一方、フィット性を維持しながらリムを回動できるようにした角度調整眼鏡も開発されている（特許文献２）。
【先行技術文献】
【特許文献】
【０００５】
【特許文献１】特開２０１８−６０２１６号公報
【特許文献２】米国公開特許２０１８−１７３００６号公報
【発明の概要】
【発明が解決しようとする課題】
【０００６】
しかし、前述した特許文献１の眼鏡においては、移動する部材（滑り部に相当）と、この部材に復帰性を与える別の部材（弾性体部に相当）の２つの部材を使用する必要があるため、その分、部品点数が増え、結果的に、組み込み工数も増える。
また、キャビティ壁と滑り部との間の摩擦により両者に擦り減り現象が発生し、回動のガタつきの原因にもなる。
またこのような組み込み工数が増えたり、擦り減り現象が生じたりすることは、前述した特許文献２の眼鏡においても問題となる。
【０００７】
本発明は、上記技術的背景をもとになされたものであり、使用者の顔部に的確にフィットできる自由度を有し、且つ部品点数も少なくて組み込みし易く、修理や回動及び仮固定の力の調整も容易な眼鏡を提供することを目的とする。
【課題を解決するための手段】
【０００８】
本発明者は、上記課題を解決するため鋭意検討したところ、滑り部と弾性体部を一体化することで、組み付けが容易となり、修理や回動及び仮固定の力の調整も容易となることを見出し、この知見により、本発明の眼鏡を完成させるに至った。
【０００９】
本発明は、（１）フロント部Ｆと、該フロント部Ｆの両端から後方に順列に延びる第一部材１と第二部材２とを備える眼鏡であって、前記第一部材１と前記第二部材２とがストッパークッション部材３を介して段階的に回動可能となっている眼鏡Ａに存する。
【００１０】
また、本発明は、（２）前記第一部材１の端部に形成された切り欠き溝部１１に、前記第二部材２の端部に形成された細厚部２Ａが嵌合されて回動自在になっており、又は、前記第二部材２の端部に形成された切り欠き溝部１１に、前記第一部材１の端部に形成された細厚部２Ａが嵌合されて回動自在になっており、前記ストッパークッション部材３は切り欠き溝部１１に設けられており、細厚部２Ａには複数の凹部２１が設けられ、ストッパークッション部材３には凸部３１が設けられ、細厚部２Ａの複数の凹部２１にストッパークッション部材３の凸部３１が係止されることにより第一部材１と第二部材２とが段階的に仮固定して停止するようになっている上記（１）記載の眼鏡Ａに存する。
【００１１】
また、本発明は、（３）前記ストッパークッション部材３は、前記切り欠き溝部１１から取り外し自在になっている上記（２）記載の眼鏡Ａに存する。
【００１２】
また、本発明は、（４）前記ストッパークッション部材３は、中空に形成されている上記（１）〜（３）のいずれか１つに記載の眼鏡Ａに存する。
【００１３】
また、本発明は、（５）前記ストッパークッション部材３は、環状体である上記（４）記載の眼鏡Ａに存する。
【００１４】
また、本発明は、（６）前記第二部材２を回動し、前記第二部材２の後部を頬骨弓Ｂ１の上端部と略平行にした状態で、前記第二部材２の後部が頬骨弓Ｂ１の上端部に当接し支持されるようになっている上記（１）〜（５）のいずれか１つに記載の眼鏡Ａに存する。
【００１５】
また、本発明は、（７）前記第一部材１及び前記第二部材２は各々、ヨロイ部又はテンプル部又はモダン部のいずれかである上記（１）〜（６）のいずれか１つに記載の眼鏡Ａに存する。
【発明の効果】
【００１６】
１）フロント部Ｆと、該フロント部Ｆの両端から後方に順列に延びる第一部材１と第二部材２とを備える眼鏡であって、前記第一部材１と前記第二部材２とがストッパークッション部材３を介して段階的に回動可能となっているので、使用者の顔部に的確にフィットできる自由度があり、且つ部品点数も少なくて組み込みがし易い。
【００１７】
２）前記第一部材１の端部に形成された切り欠き溝部１１に、前記第二部材２の端部に形成された細厚部２Ａが嵌合されて回動自在になっており、又は、前記第二部材２の端部に形成された切り欠き溝部１１に、前記第一部材１の端部に形成された細厚部２Ａが嵌合されて回動自在になっており、前記ストッパークッション部材３は切り欠き溝部１１に設けられており、細厚部２Ａには複数の凹部２１が設けられ、ストッパークッション部材３には凸部３１が設けられ、細厚部２Ａの複数の凹部２１にストッパークッション部材３の凸部３１が係止されることにより第一部材１と第二部材２とが段階的に仮固定して停止するようになっているので、凹部２１の数や間隔によって回動角度を調整できる。
【００１８】
また、ストッパークッション部材３には、スライドするような動きが加わらないので、従来のように摩耗が発生せず、その結果、モダン部２のガタつきも生じない。
【００１９】
３）前記ストッパークッション部材３は、切り欠き溝部１１から取り外し自在になっているので、ストッパークッション部材３を引き抜くことで容易に新しいものと交換することができ、初期の仮固定力を簡単に得ることができるので修理が容易である。
【００２０】
４）前記ストッパークッション部材３は、中空に形成されているので、仮固定力の源泉となる弾圧力が十分に発揮される。
【００２１】
５）前記ストッパークッション部材３は、環状体であるので、その断面形状や肉厚設定等によって回動及び仮固定のための弾圧力を容易に調整することができる。
【００２２】
６）前記第二部材２を回動し、前記第二部材２の後部を頬骨弓Ｂ１の上端部と略平行にした状態で、前記第二部材２の後部が頬骨弓Ｂ１の上端部に当接し支持されるようになっているので、第二部材２が頬骨弓Ｂ１の上端部に当接し安定して確実に保持される。
【００２３】
７）前記第一部材１及び前記第二部材２は各々、ヨロイ部又はテンプル部又はモダン部のいずれかであるので、ヨロイ部とテンプル部との間、或いはテンプル部とモダン部との間、或いはモダン部とモダン部との間などで使用者の顔部に的確にフィットできる自由度があり、且つ部品点数も少なくて組み込みがし易い。
また修理や回動及び仮固定力の調整も容易である。
【図面の簡単な説明】
【００２４】
【図１】図１は、本発明の眼鏡に係る第１の実施形態を示す斜視図である。
【図２】図２は、本発明の眼鏡に係る第１の実施形態を示し、モダン部を回動させた５つの段階の仮固定状態を示す図である。
【図３】図３は、本発明の眼鏡に係る第１の実施形態を示し、テンプル部とモダン部とを組み付ける前の状態を示す図で、（Ａ）は平面図、（Ｂ）は側面図である。
【図４】図４は、本発明の眼鏡に係る第１の実施形態を示し、テンプル部とモダン部とを組み付けた後の状態を示す図で、（Ａ）は平面図、（Ｂ）は側面図である。
【図５】図５は、本発明の眼鏡に係る第１の実施形態を示し、テンプル部の切り欠き溝部の底部に設けた埋め込み溝部にストッパークッション部材が設けられた状態を説明する斜視図である。
【図６】図６は、ストッパークッション部材が環状体に形成されたもので、各々断面形状が異なるストッパークッション部材（Ａ〜Ｆ）の組み込み状態を説明する図である。
【図７】図７は、本発明の眼鏡に係る第１の実施形態を示し、モダン部に形成された複数の凹部を説明する斜視図である。
【図８】図８は、本発明の第１の実施形態に係る眼鏡を装着した場合の顔に対する支持状態を説明する側面図である。
【図９】図９は、本発明の第１の実施形態に係る眼鏡のモダン部を図２の（Ｅ）状態で装着した場合の顔に対する支持状態を説明する平面図である。
【図１０】図１０は、本発明の第１の実施形態に係る眼鏡のモダン部を図２の（Ａ）状態で装着した場合の顔に対する支持状態を説明する平面図である。
【図１１】図１１は、本発明の眼鏡に係る第２の実施形態を示し、テンプル部とモダン部とを組み付ける前の状態を示す図で、（Ａ）は平面図、（Ｂ）は側面図である。
【図１２】図１２は、本発明の眼鏡に係る第２の実施形態を示し、テンプル部とモダン部とを組み付けた後の状態を示す図で、（Ａ）は平面図、（Ｂ）は側面図である。
【図１３】図１３は、段階的に角度を変えて上方から下方に回動させた例を示す図である。
【発明を実施するための形態】
【００２５】
以下、必要に応じて図面を参照しつつ、本発明の好適な実施形態について詳細に説明する。
なお、図面中、同一要素には同一符号を付すこととし、重複する説明は省略する。
また、図面の寸法比率は図示の比率に限られるものではない。
【００２６】
（第１の実施形態）
図１は、本発明の眼鏡Ａに係る第１の実施形態を示す斜視図である。
図１に示すように、本発明の眼鏡Ａは、大きくは、フロント部Ｆと、該フロント部Ｆの両端から後方に順列に延びる第一部材であるテンプル部１と第二部材であるモダン部２とを備える。
【００２７】
そして、テンプル部１に対して、該テンプル部１と別体のモダン部２が段階的に下方に回動可能になっている。
しかも、この回動は段階的に回動角度が異なる位置で停止し仮固定できるものである。
【００２８】
この場合、仮固定とは、固定状態から一定の力を加えることにより固定が解除されることをいい、仮固定された位置から、一定の力を加えることによって固定が解除された状態であるフリーとなるため、次の仮固定される位置に移動できるものである。
モダン部２を回動するには、下方に力を加えると、モダン部２は回動軸（枢着部）を起点として一段一段、順次、段階的に回動して仮固定され、最後には図２に示すような最終の仮固定位置に移動して停止する。
【００２９】
図２は、本発明の眼鏡Ａに係る第１の実施形態を示し、モダン部２を回動させた５つの段階の仮固定状態を示す図である。
回動する場合、段階的に仮固定して停止する位置があり、複数の段階、図では５つの段階（Ａ→Ｅ）、すなわち真っすぐな状態、約３５度の状態、約７０度の状態、約１０５度の状態、約１４０度の状態がある。
これらモダン部２が各状態で仮固定されるよう特有の固定構造となっている。
【００３０】
すなわち、この第１の実施形態の眼鏡は、フロント部Ｆと、該フロント部Ｆの両端から後方に延びるテンプル部１と、該テンプル部１に取り付けられたモダン部２とを備えており、前記モダン部２がテンプル部１に対してストッパークッション部材３を介して段階的に回動可能となっているものである。
【００３１】
更に詳しくは、前記テンプル部１の後端部に形成された切り欠き溝部１１にモダン部２の前端部に形成された細厚部２Ａが嵌合して回動自在になっており、ストッパークッション部材３は切り欠き溝部１１の底部に設けられている。
【００３２】
モダン部２の細厚部２Ａの弧状に形成された前端面（すなわち後述する円孤部２Ａ１）に設けられた複数の凹部２１に、ストッパークッション部材３に設けられた凸部３１が係止されることによりモダン部２がテンプル部１に対して段階的に回動し仮固定して停止するものである。
この例では、仮固定される位置は５段階あることから、モダン部２の凹部２１が５つ形成される。
また、ストッパークッション部材３の凸部３１は１つ形成されている。
【００３３】
図３は、本発明の眼鏡Ａに係る第１の実施形態を示し、テンプル部１とモダン部２とを組み付ける前の状態を示す図で、（Ａ）は平面図、（Ｂ）は側面図である。
【００３４】
また、図４は、本発明の眼鏡Ａに係る第１の実施形態を示し、テンプル部１とモダン部２とを組み付けた後の状態を示す図で、（Ａ）は平面図、（Ｂ）は側面図である。
組付けた後は、モダン部２の一部（具体的には細厚部２Ａ）にテンプル部１の一部（具体的には切り欠き溝部１１）が嵌合されて回動可能に枢着された状態となる。
【００３５】
図５は、本発明の眼鏡Ａに係る第１の実施形態を示し、テンプル部１の切り欠き溝部１１の底部にストッパークッション部材３が設けられた状態を説明する斜視図である。
前述したように、テンプル部１の後端部には切り欠き溝部１１が形成されており、該切り欠き溝部１１には、モダン部の前端部に形成された細厚部２Ａが嵌合されて、両者は回動が可能となっている。
【００３６】
ここでテンプル部１の切り欠き溝部１１の底部にはストッパークッション部材３が埋め込みにより設けられており、該ストッパークッション部材３に形成された凸部３１がモダン部２側に位置する。
詳しくは、切り欠き溝部１１の底部には、更に埋め込み溝部１１Ａが設けられており、この埋め込み溝部１１Ａにストッパークッション部材３が埋め込まれている。
このストッパークッション部材３は、取り外して異なった形状のものに交換することが可能である。
【００３７】
取り付けは埋め込みなので引き抜くことで埋め込み溝部１１Ａから容易に取り外すことができる。
埋め込みとしては、単なる挿入や圧入でもよく、また接着剤を使うことも可能である。
従って、仮固定力が低減した場合は、新しいストッパークッション部材３と交換することで、常に初期の仮固定力を回復することができるので修理が容易である。
【００３８】
また、ストッパークッション部材３は、中空に形成されているため、その凸部３１が仮固定力の源泉となる弾圧力を発揮することになる。
尚、中空とは、開放された空間の他に閉じられた空間も含む。
ここでストッパークッション部材３の形態としては、種々のものがあるが、図６は、環状体に形成されたもので、各々断面形状が異なるストッパークッション部材３（Ａ〜Ｆ）の組み込み状態を説明する図である。
【００３９】
断面形状は、図に示すように矩形状、三角形状、台形状等があり、ここに挙げた例以外の形状でも採用可能である。
なお、環状体の形状や肉厚設定等によって、回動及び仮固定のための弾圧力を容易に調整することができる利点がある。
ところでテンプル部１の切り欠き溝部１１の傾斜底面１Ｓは、最終の仮固定段階においてモダン部２の下面（停止面２Ｓ）が当接する部分であり、傾斜底面１Ｓがモダン部２の下面（停止面２Ｓ）に当接した場合、それ以上モダン部２は回動しない。
【００４０】
モダン部２の一部にテンプル部１の一部が嵌合されて回動可能に枢着された状態、詳しくは、テンプル部１の切り欠き溝部１１にモダン部２の細厚部２Ａが嵌合された状態において、枢着手段であるネジ等の固着具Ｐにより回動軸による枢着状態が確保され、これによりモダン部２の回動が自在となる。
なお、枢着手段としては、回動軸上に凹部と凸部を設けたことによる嵌合等の他の既存手段を用いても良い。
【００４１】
図７は、本発明の眼鏡Ａに係る第１の実施形態を示し、モダン部２に形成された複数の凹部２１を説明する斜視図である。
モダン部２の細厚部２Ａには円弧部２Ａ１が形成されており、この円弧部２Ａ１に複数の凹部２１が形成されている。
この場合、図２に示された対応位置に仮固定するように各凹部２１が形成される。
【００４２】
前述したように、テンプル部１の切り欠き溝部１１には、モダン部２の細厚部２Ａが嵌り込むが、この場合の組み込みは、相互に押し入れるだけであり極めて容易である。
嵌り込んだ状態では、両者はネジ等の固着具Ｐを介して回動可能となる。
【００４３】
このテンプル部１の切り欠き溝部１１にモダン部２の細厚部２Ａが嵌め込まれた状態で、ストッパークッション部材３の凸部３１をモダン部２の凹部２１の一つに嵌め込んで、仮固定の状態となる（図４参照）。
【００４４】
この状態で、モダン部２に回動方向に一定の力を加え、仮固定の状態を外し、次の仮固定の位置に移動させる。
この場合、ストッパークッション部材３の凸部３１がモダン部２の凹部２１を脱して次の位置にあるモダン部２の別の凹部２１に嵌り込む。
このようにすることで、仮固定の位置が順次変更され、例えば、５段階の回動角度でモダン部２を停止させることができる。
【００４５】
ところで、本発明の眼鏡Ａは耳からモダン部２を外した状態において、耳以外の部分で保持されて的確にフィットさせることができる。
モダン部２を最終段階まで回動させた状態でも、モダン部２によって視野が妨げられない。
【００４６】
図８は、本発明の第１の実施形態に係る眼鏡Ａを装着した場合の顔に対する支持状態を説明する側面図である。
モダン部２を最終段階（５段階目、図２の（Ｅ））の位置まで前方に回動させて仮固定させる。
このような最終の仮固定段階では、テンプル部１の切り欠き溝部１１の傾斜底面１Ｓが、モダン部２の下面（停止面２Ｓ）に当接して止まった状態となる。
【００４７】
尚、モダン部２を無理やり回動させても、これ以上回動することはない。
この状態で眼鏡Ａを装着すると、図８に示すように、モダン部２の後部が頬骨弓Ｂ１の上端部と略平行になった状態で、頬骨弓Ｂ１の上端部に丁度、モダン部２の後部が当接するようになるためモダン部２は頬骨弓Ｂ１に支えられて安定するのである。
【００４８】
また、最終段階に至る前の３段階目（図２の（Ｃ））の位置まで回動させて仮固定させた場合は、顎骨Ｂ２の後上部を押さえるようにモダン部２が当接するようになるため、モダン部２は顎骨Ｂ２に支えられて安定するのである。
このように、モダン部２を顔側面の選択した位置にて支持することができる。
【００４９】
図９は、本発明の第１の実施形態に係る眼鏡Ａのモダン部２を図２の（Ｅ）状態で装着した場合の顔に対する支持状態を説明する平面図である。
この図は、モダン部２を最終段階の位置まで回動させた後の状態を示す。
この図から、頬骨弓Ｂ１の上端において、モダン部２が顔面に圧接していることが理解される。
【００５０】
また、モダン部２の内側（顔側）に滑り止め部Ｎ２を設けることによりモダン部２が顔皮膚に当接した際に保持力が向上する。
更に、テンプル部１とモダン部２との枢着部付近の内側（顔側）に、滑り止め部Ｎ１を設けることも可能である。
ここで、滑り止め部Ｎ１、Ｎ２を付与する方法としては、表面加工やシート貼付け、二層成形等が好ましく採用される。
モダン部２の内側の滑り止め部Ｎ２は顔側面の皮膚に強く接触し、同様にテンプル部１とモダン部２との枢着部付近の内側の滑り止め部Ｎ１は顔側面の皮膚に接触している。
【００５１】
図１０は、本発明の第１の実施形態に係る眼鏡Ａのモダン部２を図２の（Ａ）状態で装着した場合の顔に対する支持状態を説明する平面図である。
この図は、モダン部２を回動する前の状態を示す。
ここでモダン部２の内側の滑り止め部Ｎ２は顔側面の皮膚に接触しても、テンプル部１とモダン部２との枢着部付近の内側の滑り止め部Ｎ１は顔側面の皮膚に接触しにくいことが理解できる。
これにより、モダン部２を回動する前の状態では、滑り止め部Ｎ１の影響を受けにくく、容易に眼鏡Ａの掛け外しが可能となる。
【００５２】
（第２の実施形態）
次に、モダン部２が上方にも回動する例を示す。
図１１は、本発明の眼鏡に係る第２の実施形態を示し、テンプル部１とモダン部２とを組み付ける前の状態を示す図で、（Ａ）は平面図、（Ｂ）は側面図である。
【００５３】
また、図１２は、本発明の眼鏡に係る第２の実施形態を示し、テンプル部１とモダン部２とを組み付けた後の状態を示す図で、（Ａ）は平面図、（Ｂ）は側面図である。
この場合は、上述した第１の実施形態と同じで、テンプル部１側にストッパークッション部材３が設けられ、モダン部２に複数の凹部２１が設けられる。
この例では、テンプル部１に一つの目印ラインＭ１が設けられており、この目印ラインと対応して、モダン部２には、複数の目印ラインＭ２が設けられている。
モダン部２を回動させて、その目印ラインＭ２の一つをテンプル部１の目印ラインＭ１に合わせることにより、段階的な回動位置で仮固定が行える。
このように回動の度合が外から視認することができるので、回動角度の位置合わせが極めて容易に行える。
【００５４】
図１３は、段階的に角度を変えて上方から下方に回動させた例を示す。
この場合は、７段階（Ａ〜Ｇ）に設定されている。
そもそも、人によって、左右によって、耳の位置が上下に多少異なったり、或いは耳自体の大きさに差があったりする。
【００５５】
この実施の形態の眼鏡は、このようなことに的確に対応できるようにしたものである。
すなわち、耳の位置の高い人や耳自体が大きい人に対しては、モダン部２を通常位置より上方に回動させた位置で仮固定する。
また、耳の位置が低い人や耳自体が小さい人には、モダン部２を通常位置より下方に回動させた位置で仮固定する。
このようにモダン部２の回動により、フィット性が大きく向上することとなる。
なお、眼鏡の他に検眼フレームでも採用できる。
【００５６】
以上、本発明の好適な実施形態について説明したが、本発明は上記実施形態に限定されるものではない。
【００５７】
ストッパークッション部材３は、環状（中空）が好ましく、環状の概念には、部材の一部が解放されたもの（例えば略Ｃ字状や略コの字状など）も含む。
なお、ストッパークッション部材３は、環状（中空）が好ましいが、必ずしも環状（中空）でなくても弾圧性を発揮できれば、中実のものでも採用可能である。
本発明の眼鏡Ａのフロント部Ｆは、レンズだけのものでも、ハーフリムのものでも、その構造は限定されない。
また、フロント部Ｆに対して両端に設けられたヒンジを介してテンプル部１が設けられているが、必ずしもヒンジを介する必要はない。
例えば、フロント部Ｆと一体となった高弾性を有するテンプル部１であれば、内側への屈曲が可能である。
【００５８】
また、本発明の眼鏡Ａは、モダン部２での支持力が安定しているので、鼻パッドがなくても利用可能である。
また、実施の形態とは反対にモダン部２の細厚部２Ａに埋め込み溝部１１Ａを設けてストッパークッション部材３を設け、テンプル部１の切り欠き溝部１１の底部に複数の凹部２１を設けることも可能である
また、実施の形態とは反対にモダン部２に切り欠き溝部１１を設け、テンプル部１に細厚部２Ａを設けた形態も可能である。
また、切り欠き溝部１１の内側側面に凸部３１を有するストッパークッション部材３を設け、細厚部２Ａの側面に複数の凹部２１を設けた形態も可能である。
【００５９】
また、回動する仮固定の位置は、５段階や７段階に限らず、例えば、２段階でもよく複数段階が可能である。
【００６０】
また、テンプル部１とモダン部２、ストッパークッション部材３の材質は特に限定がなく、ポリアミドやポリエステル等の熱可塑性樹脂やシリコーン等の熱硬化性樹脂等でも良く、チタンやＳＵＳ等の金属でも良い。
なお、ストッパークッション部材３（凸部３１）の材質をモダン部２の細厚部２Ａ（凹部２１）の材質よりも柔らかい材質を採用した方が、回動によってモダン部２の細厚部２Ａ（凹部２１）ではなくストッパークッション部材３（凸部３１）の方が擦り減るため、修理の際はストッパークッション部材３だけを交換すれば良い。
【００６１】
また、第一部材１及び第二部材２は各々、テンプル部、モダン部に限らず、ヨロイ部又はテンプル部又はモダン部のいずれかを採用可能である。
また、テンプル部１とモダン部２は、テンプル部１が短くモダン部２が長くても良い、即ち枢着部がフロント部Ｆ寄りでも採用可能である。
また、テンプル部１又はモダン部２が２つの部材に分かれており、その２つの部材間で本構造を採用することも可能である。
また、フロント部（ヨロイ部）とテンプル部との間で本構造を採用しても良い。
【産業上の利用可能性】
【００６２】
本発明の眼鏡は、使用者の顔部に的確にフィットできる自由度を有し、部品点数も少なく組み込みがし易いものである。
そのため、この原理を踏まえるならば、顔幅に確実にフィットさせるべくテンプル部の水平方向での回動構造に適用することも可能である。
また、眼鏡としては、近視用、遠視用、老視用、乱視用、検眼用、医療用、ファッション用等の種々の眼鏡として用いることができる。
【符号の説明】
【００６３】
Ａ・・・眼鏡
Ｂ１・・・頬骨弓
Ｂ２・・・顎骨
Ｆ・・・フロント部
Ｍ１・・・目印ライン
Ｍ２・・・目印ライン
Ｎ１・・・滑り止め部
Ｎ２・・・滑り止め部
Ｐ・・・固着具
１・・・第一部材（テンプル部）
１１・・・切り欠き溝部
１１Ａ・・・埋め込み溝部
１Ｓ・・・傾斜底面部
２・・・第二部材（モダン部）
２１・・・凹部
２Ａ・・・細厚部
２Ａ１・・円弧部
２Ｓ・・・停止面
３・・・ストッパークッション部材（環状体）
３１・・・凸部
【図１】
2020034706.tif 000003
【図２】
2020034706.tif 000004
【図３】
2020034706.tif 000005
【図４】
2020034706.tif 000006
【図５】
2020034706.tif 000007
【図６】
2020034706.tif 000008
【図７】
2020034706.tif 000009
【図８】
2020034706.tif 000010
【図９】
2020034706.tif 000011
【図１０】
2020034706.tif 000012
【図１１】
2020034706.tif 000013
【図１２】
2020034706.tif 000014
【図１３】
2020034706.tif 000015